【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
多層ポリマーフィルムであって、
主に一次遮断層材料から形成される気体遮断層であって、前記一次遮断層材料は、気体に対して高い不透過性を有する第１ポリマー材料である気体遮断層と、
前記気体遮断層に直接結合し、主に一次シール層材料から形成されるシール層であって、前記一次シール層材料は、ポリエチレンから形成される第２ポリマー材料であり、前記第１及び第２ポリマー材料は、それぞれ共押出時に前記第１及び第２ポリマー材料が強く接着するのに不適合である材料特性を有するシール層と、を含み、
前記シール層の組成および前記多層ポリマーフィルム内の位置は、同じまたは第２の多層ポリマーフィルム上における同じまたは類似の組成の他のシール層に、前記シール層をシールするように適合され、
前記気体遮断層又は前記シール層は、それぞれの前記一次材料と第３ポリマー材料との混合物を含む混合ポリマー材料から形成され、前記第３ポリマー材料は、それぞれの前記一次材料の前記材料特性を高める量で混合され、その結果、前記シール層は、共押出により高い接着力で遮断層に直接結合することができ、
前記一次材料のうち、少なくとも１つは、高密度ポリエチレン（ＨＤＰＥ）より低密度のポリエチレンであることを特徴とする多層ポリマーフィルム。
【請求項２】
前記第２ポリマー材料は、低密度ポリエチレン（ＬＤＰＥ）、直鎖状低密度ポリエチレン（ＬＬＤＰＥ）、メタロセン直鎖状低密度ポリエチレン（ｍＬＬＤＰＥ）、中密度ポリエチレン（ＭＤＰＥ）、高密度ポリエチレン（ＨＤＰＥ）、及びこれらの混合物から選択されることを特徴とする請求項１に記載の多層ポリマーフィルム。
【請求項３】
前記第３ポリマー材料は、イオノマー、酢酸ビニル高含有ＥＶＡ共重合体、変性低密度ポリエチレン（ＬＤＰＥ）、変性直鎖状低密度ポリエチレン（ＬＬＤＰＥ）、変性メタロセン直鎖状低密度ポリエチレン（ｍＬＬＤＰＥ）、変性中密度ポリエチレン（ＭＤＰＥ）、変性高密度ポリエチレン（ＨＤＰＥ）、及びこれらの混合物から選択され、前記変性により、前記ポリエチレン上の極性原子又は極性基の数が増加していることを特徴とする請求項１または２に記載の多層ポリマーフィルム。
【請求項４】
前記第２ポリマー材料は、メタロセン直鎖状低密度ポリエチレン（ｍＬＬＤＰＥ）、直鎖状低密度ポリエチレン（ＬＬＤＰＥ）、低密度ポリエチレン（ＬＤＰＥ）、及びこれらの混合物から選択されることを特徴とする請求項１乃至３のいずれか一項に記載の多層ポリマーフィルム。
【請求項５】
前記第３ポリマー材料は、変性低密度ポリエチレン（ＬＤＰＥ）、変性直鎖状低密度ポリエチレン（ＬＬＤＰＥ）、及びこれらの混合物から選択され、前記変性により、前記ポリエチレン上の極性原子又は極性基の数が増加していることを特徴とする請求項１乃至４のいずれか一項に記載の多層ポリマーフィルム。
【請求項６】
前記第２ポリマー材料は、直鎖状低密度ポリエチレン（ＬＬＤＰＥ）であり、
前記第３ポリマー材料は、無水物で変性された直鎖状低密度ポリエチレン（ＬＬＤＰＥ）であることを特徴とする請求項１乃至５のいずれか一項に記載の多層ポリマーフィルム。
【請求項７】
前記第２ポリマー材料は、未変性直鎖状低密度ポリエチレン（ＬＬＤＰＥ）であり、
前記第３ポリマー材料は、無水マレイン酸変性直鎖状低密度ポリエチレン（ＬＬＤＰＥ）であることを特徴とする請求項１乃至６のいずれか一項に記載の多層ポリマーフィルム。
【請求項８】
前記第１ポリマー材料は、ポリアミド又はエチレンビニルアルコール共重合体を含む樹脂から製造されることを特徴とする請求項１乃至７のいずれか一項に記載の多層ポリマーフィルム。
【請求項９】
前記シール層は、前記多層ポリマーフィルムの露出面に配置され、前記多層ポリマーフィルムと類似した組成を有する他のフィルムのシール層に対してヒートシールされることが可能であることを特徴とする請求項１乃至８のいずれか一項に記載の多層ポリマーフィルム。
【請求項１０】
前記多層ポリマーフィルムは、対称的な層配置を有することを特徴とする請求項１乃至９のいずれか一項に記載の多層ポリマーフィルム。
【請求項１１】
前記多層ポリマーフィルムは、前記遮断層が２つのシール層の間に配置されるように、前記遮断層の反対側に他のシール層を有し、前記シール層は、前記多層ポリマーフィルムの露出面に配置されることを特徴とする請求項１乃至１０のいずれか一項に記載の多層ポリマーフィルム。
【請求項１２】
前記遮断層又は前記シール層は、類似した組成を有する複数の副層を含むことを特徴とする請求項１乃至１１のいずれか一項に記載の多層ポリマーフィルム。
【請求項１３】
前記多層ポリマーフィルムは全厚を有し、前記遮断層は前記多層ポリマーフィルムの前記全厚の２０％以下の厚さを有することを特徴とする請求項１乃至１２のいずれか一項に記載の多層ポリマーフィルム。
【請求項１４】
前記第２ポリマー材料および前記第３ポリマー材料は、約９．５：０．５から約７：３の範囲内の割合で混合されることを特徴とする請求項１乃至１３のいずれか一項に記載の多層ポリマーフィルム。
【請求項１５】
前記多層ポリマーフィルムは、１８０°剥離強度試験による測定で約２００グラム重量より大きい剥離強度を有することを特徴とする請求項１乃至１４のいずれか一項に記載の多層ポリマーフィルム。
【請求項１６】
請求項１乃至１５のいずれか一項に記載の多層ポリマーフィルムを作製する方法であって、前記遮断層及び前記シール層を共押出して接触させて、前記多層ポリマーフィルムを作製することを含む方法。
【請求項１７】
重畳するプライを含む変換フィルムであって、各プライは、請求項１乃至１５のいずれか一項に記載の多層ポリマーフィルムを含み、前記各プライのシール層は、膨張可能なチャンバを画するパターンにおいて、他のプライのシール層に対してシールされることを特徴とする変換フィルム。
【請求項１８】
保護包装材を作製する方法であって、
請求項１７に記載の前記変換フィルムを提供することと、
前記プライ間に空気を注入して前記チャンバを膨張させることと、
膨張した前記チャンバをシールして、前記チャンバ内に前記空気を封じ込め、膨張させたクッションを提供することと、を含む方法。
【請求項１９】
前記膨張させたクッションが、０．１ｐｓｉの負荷での７日間超のクリープ試験において約３％未満の減損を呈することを特徴とする請求項１８に記載の保護包装材。
【請求項２０】
前記膨張させたクッションが、−１３インチＨｇの圧力下での真空／減圧試験において約９％未満の減損を呈することを特徴とする請求項１８に記載の保護包装材。
【請求項２１】
多層フィルムを作製する方法であって、
ポリアミド又はエチレンビニルアルコール共重合体を含む第１ポリマー材料を含む遮断層と、
低密度ポリエチレン（ＬＤＰＥ）又は直鎖状低密度ポリエチレン（ＬＬＤＰＥ）である第２材料と変性低密度ポリエチレン（ＬＤＰＥ）又は変性直鎖状低密度ポリエチレン（ＬＬＤＰＥ）である第３材料との混合物を含み、同じまたは第２の多層フィルム上における同じまたは類似の組成の他のシール層にシールするように適合されたシール層とを、共押出することを含み、
前記多層フィルムの前記遮断層を前記シール層と共押出して接触させて、多層フィルムを作製することを特徴とする方法。